(57)【要約】【課題】  本考案は、コンパクトディスク箱の構造を提供する。【解決手段】  図柄層と箱体とがあり、主として、当該箱体と当該図柄層とを、射出成形により一体にして、当該図柄層を当該箱体の表面に固定し、これにより、より良い装飾や美化及び広告の効果が得られ、そして、生産効率が向上されて、量産により実用的なものを提供する。【選択図】図７
0003116171.tif 000002
【実用新案登録請求の範囲】
【請求項１】
図文を有する図柄層と、当該図柄層と射出成形で一体に結合されることにより、表面に当該図柄層を固定する箱体とを含むことを特徴とするコンパクトディスク箱の構造。
【請求項２】
当該図文は、文字や図柄であることを特徴とする請求項１記載のコンパクトディスク箱の構造。
【請求項３】
当該図文は、文字であることを特徴とする請求項１記載のコンパクトディスク箱の構造。
【請求項４】
当該図文は、図柄であることを特徴とする請求項１記載のコンパクトディスク箱の構造。
【請求項５】
当該箱体の内部は、収納空間が形成され、当該箱体の底部には、複数の係合シートが設けられ、当該係合シートには、下蓋が係合されることを特徴とする請求項１記載のコンパクトディスク箱の構造。
【考案の詳細な説明】
【技術分野】
【０００１】
本考案は、コンパクトディスク箱の構造に関し、特に、複数のコンパクトディスクを収納できる容器で、より良い装飾や美化及び広告の効果がえられ、そして、生産効率が向上されるものに関する。
【背景技術】
【０００２】
「コンパクトディスク箱（盒）」は、よく使われるコンパクトディスクを収納するための容器であり、市場には、色々な種類や形態のコンパクトディスク箱が登場した。図１は、従来のコンパクトディスク箱であり、色々な種類のコンパクトディスク（例えば、ＣＤやＬＤ、ＶＣＤ及びＤＶＤ等）が収納される。コンパクトディスク箱５は、中空円筒状であり、その底部は、開口状である。コンパクトディスク箱５の内部は、コンパクトディスクを収納するための収納空間５１が形成される。コンパクトディスク箱５は、底部に、下蓋６を係合するための複数の水平状突出である係合シート５２が形成される。下蓋６の周縁から外へ延ばされた環状突出６１が形成され、突出６１上に、複数の係合シート５２と対応する係合槽６２が設けられ、コンパクトディスク箱５を下蓋６に被せる時、下蓋６とコンパクトディスク箱５とを、対向して回転することにより、係合シート５２が、対応する係合槽６２に係合されることにより、下蓋６とコンパクトディスク箱５とが係合される。
【０００３】
上記従来のコンパクトディスク箱は、外観造型が、変化の少ない単調であり、視覚効果が良くないため、装飾や美化及び広告の効果が得られず、ユーザーの注目を得られない。コンパクトディスク箱の表面に、文字や図柄を有するスティックを貼り付けることにより、装飾や美化及び広告の効果が得られるが、この方式によれば、他にスティックを印刷作製しなければならず、スティックをコンパクトディスク箱の表面に貼り付ける必要があるため、生産効率を向上出来ず、量産に、実用的でない部分がある。
【０００４】
そのため、上記従来のコンパクトディスク箱には、実用上、不便や欠点があるため、改善すべきものである。
【０００５】
本考案者は、上記の欠点を改善するため、学理の運用に合せって、慎重的に研究することにより、設計が合理的で、有効に上記の欠点を改善できる本考案を提案する。
【考案の開示】
【考案が解決しようとする課題】
【０００６】
本考案の主な目的は、より良い装飾や美化及び広告の効果が得られ、生産製造が簡単で、生産効率を向上でき、量産の需要を満足できるコンパクトディスク箱の構造を提供する。
【課題を解決するための手段】
【０００７】
本考案は、上記の目的を達成するため、図文がある図柄層と、当該図柄層と射出成形で一体になる箱体とが含有され、当該図柄層が、当該箱体の表面に固定される、コンパクトディスク箱の構造を提供する。
【０００８】
以下、図面を参照しながら、本考案の特徴や技術内容について、詳しく説明する。
【考案を実施するための最良の形態】
【０００９】
図６と図７は、本考案のコンパクトディスク箱の構造であり、コンパクトディスク箱の製造フローは、図２乃至図５のように、まず、図柄層２を成形し、図柄層２は、円環形シート状であり、透明なプラスチック材で作製され、図柄層２上には、装飾や美化及び広告の効果が得られる図文２１がプリントされ、図文２１は、文字や図柄である。
【００１０】
図柄層２は、治具３により、（図２のように）金型の下型４のキャビティー４１内に入れられ、また、空気をブローすることにより、図柄層２と治具３とが分離され、また、図柄層２が（図３のように）下型４のキャビティー４１の内壁に付着するようにして、その後、治具３を除去してから、（図４のように）金型の上型５と下型４とを接合する。
【００１１】
金型は、射出成形である金型で、インサート成形（insert-molding）方式により、金型で、（図５のように）コンパクトディスク箱の箱体１を射出成形し、箱体１と図柄層２とは、射出成形により、直接的に一体に結合されて、図柄層２が箱体１の表面に固定され、上記構成により、本考案のコンパクトディスク箱の構造が形成される。
【００１２】
図６と図７を参照すると、本考案のコンパクトディスク箱は、箱体１と図柄層２とを含み、箱体１と図柄層２とは、射出成形により、一体に結合され、図柄層２上に位置する図文２１は、装飾や美化及び広告の効果がある。箱体１の内部は、コンパクトディスクを収納するための収納空間１１が形成され、箱体１の底部には、下蓋と係合するための複数の水平状突出である係合シート１２が形成される（図に未表示）。
【００１３】
本考案の箱体１と図柄層２とは、金型で射出成形することにより、一体に結合され、貼り付け作業を必要としないため、生産製造が簡単で、生産効率が向上されて、量産に適合する。また、箱体１と図柄層２とは、射出成形で一体に結合するため、図柄層２が、箱体１の表面に硬く付着して、外れることがない。
【００１４】
本考案は、上記の説明によれば、実用性と新規性及び進歩性のある実用新案であるため、法に従って出願する。
【００１５】
以上の説明は、ただ、本考案のより良い実施例であり、本考案は、それによって制限されず、本考案の明細書や図式内容に従って等価な変更や修正は、全て本考案の実用新案登録請求の範囲に含まれる。
【図面の簡単な説明】
【００１６】
【図１】従来のコンパクトディスク箱の立体図である。
【図２】本考案のコンパクトディスク箱の製造フローの概念図（１）である。
【図３】本考案のコンパクトディスク箱の製造フローの概念図（２）である。
【図４】本考案のコンパクトディスク箱の製造フローの概念図（３）である。
【図５】本考案のコンパクトディスク箱の製造フローの概念図（４）である。
【図６】本考案のコンパクトディスク箱の断面図である。
【図７】本考案のコンパクトディスク箱の立体図である。
【符号の説明】
【００１７】
１  箱体
１１  収納空間
１２  係合シート
２  図柄層
２１  図文
３  治具
４  下型
４１  キャビティー
５  上型
【図１】
0003116171.tif 000003
【図２】
0003116171.tif 000004
【図３】
0003116171.tif 000005
【図４】
0003116171.tif 000006
【図５】
0003116171.tif 000007
【図６】
0003116171.tif 000008
【図７】
0003116171.tif 000009